(57)【要約】【課題】洗浄機構の点検を、筒状容器を配管から取外すことなく実施することができることを課題とする。【解決手段】被処理流体が流入する筒状容器２１と、この筒状容器と交差するように該筒状容器と連結して設けられ，両端が閉止フランジにより閉じられた筒状体２４と、前記筒状容器内に通流する被処理流体に紫外線を照射する紫外線ランプ２８と、この紫外線ランプを収納する光透過性のランプスリーブ２９と、このランプスリーブを洗浄する洗浄機構と、この洗浄機構を駆動させるモータ３３とを具備する紫外線照射装置を点検する装置において、前記閉止フランジのうち一方の閉止フランジを支持する支持部材３５と、この支持部材を引き出すレール３７と、前記支持部材を閉止フランジに固定する固定ねじ３６とを具備することを特徴とする紫外線照射装置の点検装置。【選択図】図１
2011056364.tif 000002
【特許請求の範囲】
【請求項１】
被処理流体が流入する筒状容器と、この筒状容器と交差するように該筒状容器と連結して設けられ，両端が閉止フランジにより閉じられた筒状体と、前記筒状容器内に通流する被処理流体に紫外線を照射する紫外線ランプと、この紫外線ランプを収納する光透過性のランプスリーブと、このランプスリーブを洗浄する洗浄機構と、この洗浄機構を駆動させる駆動機構とを具備する紫外線照射装置を点検する装置において、前記閉止フランジのうち一方の閉止フランジを支持する支持部材と、この支持部材を引き出すレールと、前記支持部材を閉止フランジに固定する固定ねじとを具備することを特徴とする紫外線照射装置の点検装置。
【請求項２】
前記駆動機構は、前記閉止フランジのうち一方の閉止フランジに取り付けられた駆動ねじと、この駆動ねじを回動させるモータとから構成されることを特徴とする請求項１に記載の紫外線照射装置の点検装置。
【発明の詳細な説明】
【技術分野】
【０００１】
本発明は、紫外線照射装置の点検装置に関する。具体的には、本発明は、浄水処理や下水処理・食品排水処理・薬品排水処理・遠洋船舶バラスト水処理などにおいて、藻類・微生物・病原性原虫などを不活化もしくは無害化するために被処理水に紫外線を照射する紫外線照射装置の一構成である洗浄機構を点検する装置に関する。
【背景技術】
【０００２】
従来、例えば、図２（Ａ)〜（Ｃ)に示すような紫外線照射装置の点検装置が知られている。ここで、図２（Ａ)は同点検装置の紫外線照射装置部分の平面図、図２（Ｂ)は図２（Ａ)の正面図、図２（Ｃ)は図２（Ａ)の側面図を示す。
【０００３】
図中の符番１は、被処理流体２が流入し，両端部にフランジ３ａ，３ｂが夫々形成された筒状容器である。この筒状容器１の両端部のフランジ３ａ，３ｂ部分には、夫々図示しない配管が連結され、筒状容器１に被処理流体２が供給され、紫外線照射処理されて処理流体として取り出される。筒状容器１には、該筒状容器１と交差するように筒状体４が連結して設けられている。筒状体４の両端には夫々フランジ５ａ，５ｂが設けられ、これらのフランジ５ａ，５ｂは、夫々閉止フランジ６ａ，６ｂにより閉じられている。
【０００４】
筒状体４内には、紫外線を被処理流体２に照射する紫外線ランプ７、及びこの紫外線ランプ７を保護するランプスリーブ８が配置されている。ランプスリーブ８の外周部には、該ランプスリーブ８を洗浄する洗浄機構９が図２（Ｃ)の矢印Ｘ方向に移動するように配置されている。洗浄機構９は、ランプスリーブ８の外周面と接するブラシ１０を備えている。
【０００５】
前述した一方の閉止フランジ６ａには、洗浄機構１０を駆動させる駆動ねじ１１が回転自在に取り付けられている。駆動ねじ１１はモータ１２により駆動する。なお、図中の符番１３は処理済の被処理流体（処理済流体）を示し、矢印Ｙは駆動ねじ１１の回転方向を示す。
【０００６】
こうした構成の紫外線照射装置において、紫外線照射装置内を点検する場合、紫外線ランプ７とランプスリーブ８を取外した後、図２（Ｂ）に示すようなケーブル１４とフック１５を備えたクレーン１６で筒状容器１を持ち上げ、図示しない配管から取外して洗浄機構１０の点検を行っていた。
【０００７】
従来、紫外線ランプやその保護管等を備えた紫外線照射装置としては、例えば特許文献１が知られている。
【先行技術文献】
【特許文献】
【０００８】
【特許文献１】特許第４１６８３４８号公報
【発明の概要】
【発明が解決しようとする課題】
【０００９】
しかし、図２の点検装置においては、筒状容器１をクレーン１６で持上げ、配管から取外し、洗浄機構９の点検後、再び配管に接続しなければならない。従って、時間が掛かるとともに、クレーン１６の設備が必要でありコストが掛かっていた。
【００１０】
本発明はこうした事情を考慮してなされたもので、洗浄機構の点検を、筒状容器を配管から取外すことなく実施することができる紫外線照射装置の点検装置を提供することを目的とする。
【課題を解決するための手段】
【００１１】
本発明に係る紫外線照射装置の点検装置は、被処理流体が流入する筒状容器と、この筒状容器と交差するように該筒状容器と連結して設けられ，両端が閉止フランジにより閉じられた筒状体と、前記筒状容器内に通流する被処理流体に紫外線を照射する紫外線ランプと、この紫外線ランプを収納する光透過性のランプスリーブと、このランプスリーブを洗浄する洗浄機構と、この洗浄機構を駆動させる駆動機構とを具備する紫外線照射装置を点検する装置において、前記閉止フランジのうち一方の閉止フランジを支持する支持部材と、この支持部材を引き出すレールと、前記支持部材を閉止フランジに固定する固定ねじとを具備することを特徴とする。
【発明の効果】
【００１２】
本発明によれば、洗浄機構の点検を、筒状容器を配管から取外すことなく実施することができる。
【図面の簡単な説明】
【００１３】
【図１】本発明に係る紫外線照射装置の点検装置の説明図。
【図２】従来の紫外線照射装置の点検装置の説明図。
【発明を実施するための形態】
【００１４】
次に、本発明に係る紫外線照射装置の点検装置について更に詳しく説明する。  
本発明の紫外線照射装置は、上述したように、筒状容器と、筒状体と、紫外線ランプと、光透過性のランプスリーブと、洗浄機構と、駆動機構とを具備する紫外線照射装置を点検する装置において、閉止フランジのうち一方の閉止フランジを支持する支持部材と、この支持部材を引き出すレールと、前記支持部材を閉止フランジに固定する固定ねじとを具備している。
【００１５】
本発明において、前記駆動機構としては、閉止フランジのうち一方の閉止フランジに取り付けられた駆動ねじと、この駆動ねじを回動させるモータとから構成される場合が挙げられるが、これに限定されない。
【００１６】
（実施例）  
本発明の一実施例に係る紫外線照射装置の点検装置について図１（Ａ）〜（Ｃ）を参照して説明する。ここで、図１（Ａ)は同紫外線照射装置の点検装置の概略的な平面図、図１（Ｂ)は図１（Ａ)の正面図、図１（Ｃ)は図１（Ａ)の側面図を示す。
【００１７】
図中の符番２１は、被処理流体２２が流入し，両端部に夫々フランジ２３ａ，２３ｂが夫々形成された筒状容器である。この筒状容器２１の両端部のフランジ２３ａ，２３ｂ部分には、図示しない配管が連結され、筒状容器２１に被処理流体２２が供給され、紫外線照射処理されて処理済流体２５として取り出される。筒状容器２１には、該筒状容器２１と交差するように筒状体２４が連結して設けられている。筒状体２４の両端には夫々フランジ２６ａ，２６ｂが設けられ、これらのフランジ２６ａ，２６ｂは夫々閉止フランジ２７ａ，２７ｂにより閉じられている。
【００１８】
筒状体２４内には、紫外線を被処理流体２２に照射する紫外線ランプ２８、及びこの紫外線ランプ２８を保護するランプスリーブ２９が配置されている。ランプスリーブ２９の外周部には、該ランプスリーブ２９を洗浄する洗浄機構３０が図１（Ｃ)の矢印Ｘ方向に移動するように配置されている。洗浄機構３０は、該洗浄機構３０の内側にランプスリーブ２９の外周面と接するブラシ３１を備えている。
【００１９】
前述した一方の閉止フランジ２７ａには、洗浄機構３０を駆動させる駆動ねじ３２が回転自在に取り付けられている。駆動ねじ３２はモータ３３により駆動し、駆動ねじ３２を矢印Ｙ方向に回転すると、洗浄機構３０が移動する。なお、駆動ねじ３２とモータ３３を総称して駆動機構と呼ぶ。
【００２０】
こうした構成の紫外線照射装置において、紫外線照射装置内を点検する場合、次のように行う。まず、点検装置の構成について、図１を参照して説明する。図１において、符番３４は、閉止フランジ２７ａに設けられたねじ穴を示す。閉止フランジ２７ａには、Ｌ字型のサポート（支持部材）３５が当接されている。このサポート３５は、固定ねじ３６を閉止フランジ２７ａのねじ穴３４に挿着することにより閉止フランジ２７ａに固定されている。閉止フランジ２７ａはレール３７に一体的に連結されている。なお、レール３７やサポート３５は、点検時のみ紫外線照射装置に取り付ける。
【００２１】
上記実施例によれば、閉止フランジ２７ａにねじ穴３４を設け、サポート３５を閉止フランジ２７ａに当接した状態で、固定ねじ３６を閉止フランジ２７ａのねじ穴３４に挿着することにより、サポート３５を閉止フランジ２７ａに固定し、更にサポート３５をレール３７に一体的に連結した構成となっている。従って、レール３７を引き出すことにより、閉止フランジ２７ａに固定された駆動機構と洗浄機構３０を、筒状体２４から外に取り出すことができる。つまり、上記実施例によれば、洗浄機構の点検を、筒状容器を配管から取外すことなく実施することができるので、従来のように時間が掛からず、またクレーンのような吊上げ設備が必要ないため、コストダウンを図ることができる。
【００２２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００２３】
２１…筒状容器、２２…被処理流体、２３ａ，２３ｂ，２６ａ，２６ｂ…フランジ、２４…筒状体、２５…処理済流体、２７ａ，２７ｂ…閉止フランジ、２８…紫外線ランプ、２９…ランプスリーブ、３０…洗浄機構、３１…ブラシ、３２…駆動ねじ、３３…モータ、３５…支持部材（サポート）、３６…固定ねじ、３７…レール。
【図１】
2011056364.tif 000003
【図２】
2011056364.tif 000004